【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
水上で使用する産出物支援船であって、
水面下から海底物質を受け取る海底物質受けと、
前記海底物質受けからの海底物質を処理する海底物質処理機器と、
前記海底物質処理機器からの処理した海底物質を貯蔵する１つ以上のバルク貯蔵庫と、
処理した海底物質を前記バルク貯蔵庫に配送する荷積みシステムと、
前記バルク貯蔵庫から前記産出物支援船に横づけで係留される輸送船まで、処理した海底物質を荷卸しする荷卸しシステムと、
を備える産出物支援船。
【請求項２】
前記バルク貯蔵庫が、前記産出物支援船の船郭によって画定される内部空間の大部分を占める請求項１に記載の産出物支援船。
【請求項３】
前記海底物質が鉱石であり、前記１つ以上のバルク貯蔵庫が１週間の産出量分を超える総容量を有する請求項１または２に記載の産出物支援船。
【請求項４】
前記バルク貯蔵庫の総容量が鉱石２００００ｔ分を超える請求項３に記載の産出物支援船。
【請求項５】
前記１つ以上のバルク貯蔵庫が４つのバルク貯蔵庫から成る請求項３または４に記載の産出物支援船。
【請求項６】
前記４つのバルク貯蔵庫が鉱石４００００ｔ〜５００００ｔ分を超える総容量を有する請求項５に記載の産出物支援船。
【請求項７】
前記バルク貯蔵庫が前記船の長手軸に沿って並べられる請求項１乃至６のうちのいずれか一項に記載の産出物支援船。
【請求項８】
単独の荷積みシステムが、複数のバルク貯蔵庫のいずれにも前記処理した海底物質を配送するために設けられる請求項１乃至７のうちのいずれか一項に記載の産出物支援船。
【請求項９】
前記荷積みシステムが、前記処理した海底物質を前記バルク貯蔵庫に配送する縦コンベアと横コンベアを含む請求項１乃至８のうちのいずれか一項に記載の産出物支援船。
【請求項１０】
前記荷卸しシステムが、貯蔵した海底物質を前記１つ以上のバルク貯蔵庫から回収し、前記輸送船に荷卸しする少なくとも１つの荷卸しコンベアシステムを含む請求項１乃至９のうちのいずれか一項に記載の産出物支援船。
【請求項１１】
前記荷卸しコンベアシステムが少なくとも１つのスクーパを含む請求項１０に記載の産出物支援船。
【請求項１２】
前記荷卸しシステムが鉛直リフターを含む請求項１０または１１に記載の産出物支援船。
【請求項１３】
前記鉛直リフターがバケットエレベータである請求項１２に記載の産出物支援船。
【請求項１４】
前記鉛直リフターがＣ型コンベアである請求項１２に記載の産出物支援船。
【請求項１５】
前記荷卸しシステムは、前記物質を前記輸送船に降ろすように構成されたブームコンベアを含む請求項１０乃至１４のうちのいずれか一項に記載の産出物支援船。
【請求項１６】
２つの荷卸しコンベアシステムが設けられ、第１の荷卸しコンベアシステムが第１の対の隣接バルク貯蔵庫から鉱石を回収し、第２の荷卸しコンベアシステムが第２の対の隣接バルク貯蔵庫から鉱石を回収する請求項１０乃至１５のうちのいずれか一項に記載の産出物支援船。
【請求項１７】
前記海底物質受けがライザーの少なくとも一部を含む請求項１乃至１６のうちのいずれか一項に記載の産出物支援船。
【請求項１８】
前記海底物質処理機器が脱水施設を含む請求項１乃至１７のうちのいずれか一項に記載の産出物支援船。
【請求項１９】
コンベアが前記脱水施設から前記バルク貯蔵庫まで処理した鉱石を配送する請求項１８に記載の産出物支援船。
【請求項２０】
前記海底物質処理機器が石灰貯蔵配給システムを含む請求項１乃至１９のうちのいずれか一項に記載の産出物支援船。
【請求項２１】
海底車両を保管するように構成された１つ以上の車両区画をさらに備える請求項１乃至２０のうちのいずれか一項に記載の産出物支援船。
【請求項２２】
前記海底車両が、前記車両区画を介して前記船から積み卸しされる海底採掘車両である請求項２１に記載の産出物支援船。
【請求項２３】
リフトウィンチおよび油圧装置（ＨＰＵ）が各海底採掘車両の積み卸しのために設けられる請求項２２に記載の産出物支援船。
【請求項２４】
前記船の少なくとも一部を通って垂直に延在するムーンプールをさらに備える請求項１
乃至２３のうちのいずれか一項に記載の産出物支援船。
【請求項２５】
前記ムーンプールに隣接するデリックをさらに備える請求項２４に記載の産出物支援船。
【請求項２６】
前記船に最大積載位置までバラストを積むのに十分な容量を有するバラストシステムをさらに備える請求項１乃至２５のうちのいずれか一項に記載の産出物支援船。
【請求項２７】
一定なフリーボードを可能にするように常に調節可能であるバラストシステムをさらに備える請求項１乃至２６のうちのいずれか一項に記載の産出物支援船。
【請求項２８】
前記バラストシステムが、積み卸し作業または進水撤収作業中、一定の喫水およびフリーボードを可能にするように常に調節可能である請求項２７に記載の産出物支援船。
【請求項２９】
前記船が１５０〜２５０ｍの垂線間長（ＢＰ）と２０〜６０ｍの幅を有する請求項１乃至２８のうちのいずれか一項に記載の産出物支援船。
【請求項３０】
海底から採集される物質の処理方法であって、
水面下で作業する１つ以上の海底採掘車両を使用して海底物質を採集するステップと、
前記採集した海底物質を水上船に移送するステップと、
前記採集した海底物質を前記水上船で処理するステップと、
処理した海底物質を前記水上船の１つ以上のバルク貯蔵庫に配送するステップと、
前記水上船上の前記処理した海底物質を前記１つ以上のバルク貯蔵庫に貯蔵するステップと、
処理した海底物質を前記１つ以上のバルク貯蔵庫から輸送船に搬送するステップと、
を備える方法。
【請求項３１】
一定のフリーボードを可能にするようにバラストを調節するステップをさらに備える請求項３０に記載の方法。
【請求項３２】
積み卸し作業または進水撤収作業中、一定の喫水およびフリーボードを可能にするように前記バラストを調節するステップをさらに備える請求項３１に記載の方法。
【請求項３３】
前記採集した海底物質を前記船に移送するステップが、ライザーを用いて前記採集した海底物質を前記船に搬送することを含む請求項３０乃至３２のうちのいずれか一項に記載の方法。
【請求項３４】
前記船上の前記採集した海底物質を処理するステップが、前記採集した海底物質の脱水を含む請求項３０乃至３３のうちのいずれか一項に記載の方法。
【請求項３５】
前記採集され脱水された海底物質が、コンベアを介して前記水上船上で脱水施設から１つ以上のバルク貯蔵庫まで移送される請求項３４に記載の方法。
【請求項３６】
前記採集した海底物質を前記船上で処理するステップが、前記水上船上の石灰貯蔵配給施設を使用して前記海底物質の酸化を軽減することを含む請求項３０乃至３５のうちのいずれか一項に記載の方法。
【請求項３７】
前記水上船上の前記海底採掘車両を輸送するステップと、前記船から前記海底へ前記採掘車両を降下させるステップとをさらに備える請求項３０乃至３６のうちのいずれか一項に記載の方法。
【請求項３８】
前記海底から１つ以上の海底採掘車両を回収し、前記船に前記車両を設置するステップをさらに備える請求項３７に記載の方法。
【請求項３９】
前記海底が海面下５００ｍよりも深い請求項３０乃至３８のうちのいずれか一項に記載の方法。
【請求項４０】
貯蔵した海底物質を前記１つ以上のバルク貯蔵庫から輸送船に搬送するステップが、前記貯蔵した海底物質を海上で前記輸送船へ搬送することを含む請求項３０乃至３９のうちのいずれか一項に記載の方法。
【請求項４１】
貯蔵した海底物質を搬送するステップが、スクーパを用いて前記貯蔵した海底物質を前記１つ以上のバルク貯蔵庫から回収することと、前記海底物質をブームコンベアに移送し前記輸送船へと前記物質を降ろすバケットエレベータに配置することとを備える請求項３０乃至４０のうちのいずれか一項に記載の方法。
【請求項４２】
前記水上船が請求項１乃至２９のうちのいずれか一項に記載の前記産出物支援船である請求項３０乃至４１のうちのいずれか一項に記載の方法。
【手続補正２】
【補正対象書類名】明細書
【補正対象項目名】発明の名称
【補正方法】変更
【補正の内容】
【発明の名称】産出物支援貯蔵船および海底から採集される物質の処理方法